(57)【特許請求の範囲】
【請求項１】
セット部材と、そのセット部材に開閉可能に設けられたカバー部材とを備え、遊技機における制御基板を収容可能に構成した、遊技機の基板ボックスであって、
前記セット部材と前記カバー部材には、相互に封印状態に結合される各連結部が設けられ、前記セット部材と前記カバー部材のうち少なくとも一方の部材には、工具によって切断可能な開封部を介して前記連結部が設けられ、前記開封部には、切断を補助する切除部が切除可能に設けられ、前記切除部の切除により、工具を挿入可能となる開口部が設けられることで、前記開封部を切断可能にすることを特徴とする遊技機の基板ボックス。
【発明の詳細な説明】
【０００１】
【発明の属する技術分野】
本発明は、パチンコ機、アレンジボール機、雀球機、スロットルマシン等の遊技機の基板ボックスに関する。
【０００２】
【従来の技術】
例えば、遊技ホール等に設置されているパチンコ機等の遊技機には、電子部品が実装された制御基板（回路基板とも呼ばれる）を収容した「基板ボックス」が設けられている。
この種の基板ボックスでは、その内部の電子部品、例えばＲＯＭが不正に交換されたり、そのＲＯＭに記憶された内容が不正に書き換えられたりする等の不正行為を防止するための封印手段が設けられている。
【０００３】
次に、封印手段が設けられた基板ボックスの従来例を図面を参照して述べる。
図１５は基板ボックスの封印手段を示す正面図、図１６は図１５のＸＶＩ−ＸＶＩ線断面図、図１７は図１５のＸＶＩＩ−ＸＶＩＩ線断面図である。
図１６および図１７に示すように、基板ボックス１１８は、セット部材１２０と、そのセット部材１２０に開閉可能に設けられたカバー部材１３０とを備えている。
セット部材１２０とカバー部材１３０によって形成される内部空間には、ＲＯＭ、トランジスタ等の電子部品が実装された制御基板が収容されている。
【０００４】
図１６に示すように、セット部材１２０とカバー部材１３０との間には、そのセット部材１２０に対しカバー部材１３０を閉じた状態に封印するための封印手段１４０が設けられている。
封印手段１４０は、セット部材１２０側（セット側と略す）の連結部１２４とカバー部材１３０側（カバー側と略す）の連結部１３４とかしめ部材１４２と封印ねじ１４３とを備えている。
セット側の連結部１２４は、前記セット部材１２０に対しアーム状の開封部（セット側の開封部という）１２２を介して一体状に連設されている。
カバー側の連結部１２４は、前記カバー部材１３０に対しアーム状の開封部（カバー側の開封部という）１３２を介して一体状に連設されている（図１５参照）。
セット側の連結部１２４とカバー側の連結部１３４とは、セット部材１２０にカバー部材１３０を閉じた状態において前後方向に延びる軸線Ｌ（図１６参照）上に並んでいる。
【０００５】
図１６に示すように、前記かしめ部材１４２は、前記カバー側の連結部１３４内に挿入されて回り止めされた状態に配置されている。
かしめ部材１４２の先端部１４２ａは、セット側の連結部１２４内に突出されている。
また、前記封印ねじ１４３は、一方向ねじ（ワンウエイねじとも呼ばれている）からなり、前記カバー部材１３０側の連結部１３４側より前記かしめ部材１４２にねじ込まれている。
封印ねじ１４３のねじ込みによって、かしめ部材１４２の先端部１４２ａが押し広げられてセット側の連結部１２４にかしめつけられている。
これにより、セット部材１２０にカバー部材１３０が閉じた状態に固定すなわち封印されている。
【０００６】
ところで、前記基板ボックス１１８内の検査等の場合には、例えば、セット側の開封部１２２およびカバー側の開封部１３２を、ニッパーやカッター等の切断工具１４６（図１７参照）によって切断する。
これにより、前記封印が解かれるすなわち開封されることによって、カバー部材１３０を開くことができる。
また、基板ボックス１１８から各連結部１２４，１３４が切り離されることによって、開封部１２２，１３２が切断により開封されたことは、目視によって容易に確認することができる。
【０００７】
【発明が解決しようとする課題】
上記した遊技機の基板ボックス１１８では、図１７に示すように、セット側の開封部１２２とカバー側の開封部１３２とが断面ほぼ長四角形状の帯板状にそれぞれ形成されている。
そして、封印状態において、各開封部１２２，１３２は、断面ほぼ長四角形状における長手方向が両連結部１２４，１３４の結合方向すなわち前後方向に延びるようにして一連状いわゆる直列状に並んでいる。
したがって、両連結部１２４，１３４の結合方向すなわち前後方向の延長線ＬＥ上、例えば前方からは、カバー側の開封部１３２は目視すなわち検査等の作業者の目Ｍで見ることができるが、セット側の開封部１２２はカバー側の開封部１３２の後方に隠れて見えない。
このため、セット側の開封部１２２のみを切断工具１４６によって切断することによって、その切断の痕跡がわかりにくく、不正の事実が発見されにくい状態で、基板ボックス１１８が不正に開封されてしまうおそれがあった。
【０００８】
本発明は、上述の基板収納ボックス等の遊技機用部品収納ボックスにおける従来の封止手段に係る問題点を解決するものであり、その目的とするところは、防犯上の観点からボックス内部が一旦封止（密閉）された後には外部から不正に再開放されないことを実現するカバーと筐体本体部との封止手段、および、そのような封止手段によって密閉された遊技機用部品ボックスを提供することである。
【０００９】
【課題を解決するための手段】
前記課題は、本発明の特許請求の範囲の欄に記載された構成を要旨とする遊技機の基板ボックスにより解決することができる。
すなわち、特許請求の範囲の請求項１に記載された遊技機の基板ボックスによると、セット部材にカバー部材が閉じられ、遊技機における制御基板が収容される。
そして、セット部材とカバー部材に設けられた各連結部は、相互に封印状態に結合される。
また、前記封印を解くすなわち開封する場合には、開封部を工具によって切断する。
その開封部の切断時に際し、切除部が切除される。
したがって、切除部の切除による痕跡を残さずに開封部を切断することがむつかしいことと、その切除部の切除の痕跡を目視によって容易に発見し得ることの相乗効果によって、不正な開封を抑制することができる。
また、開封部の切断時に際し、切除部を切除することにより、開封部の切断が補助されるので、その開封部の切断を容易に行うことができる。
さらに、切除部を切除することによって開口された開口部に工具を挿入して、その開口部から開封部を容易に切断することができる。
【００１０】
【００１１】
【００１２】
【００１３】
【００１４】
【００１５】
【００１６】
【発明の実施の形態】
［実施の形態１］本発明の実施の形態１を説明する。
本実施の形態では、遊技機の一つであるパチンコ機に本発明を適用したものを例示する。
まず、基板ボックスの説明に先だって、パチンコ機の基本的な構成を述べる。
なお、パチンコ機の基本的な構成は、周知のパチンコ機とほとんど同様であるから簡単に述べるにとどめる。
図１はパチンコ機を後方側から見た斜視図である。
また、パチンコ機の方位は、図１に矢印で示すように定める。
【００１７】
図１において、パチンコ機１は、外枠体２と前枠４と遊技盤ユニット１６を備えている。
外枠体２は、ほぼ矩形枠状に形成されている。
前枠４は、ほぼ額縁状に形成されており、外枠体２の前面側（正面側という）にヒンジ機構３によって開閉可能に設けられている。
前枠４の後面側（背面側という）には、ほぼ矩形枠状の支持枠６が設けられている。
【００１８】
前記遊技盤ユニット１６は、前記支持枠６に対しその後面側から取外し可能に嵌込まれた後、裏セット部材８によって固定されている。
裏セット部材８は、前枠４の後面側にヒンジ機構（図示省略）によって開閉可能に設けられている。
裏セット部材８の開閉側端部は、支持枠６に設けられた複数の留め具７によって閉じた状態に保持されている。
遊技盤ユニット１６は、その前面側に遊技盤（図示省略）を備えている。
遊技盤の前面側には、図示しないが、球案内レール、遊技構成部材としての各種の入賞装置、役物装置、図柄表示装置、アタッカ装置、ゲート口、風車器、誘導釘等が配設されている。
【００１９】
前記裏セット部材８の後面側には、球タンク９、タンクレール１０、球払出装置１２、電源基板ボックス１４等が設けられている。
電源基板ボックス１４内には、図示しないが、外部電源を所要の電圧に調整するための電子部品が実装された電源基板が収容されている。
【００２０】
前記前枠４の前面側には、図示しないが、遊技盤の遊技領域を透視可能とする透視板を有する表枠５が設けられている。
また、前枠４の前面側には、上皿を有する下板、下皿等が設けられている。
また、前枠４の下端部には、球発射用の発射ハンドル装置１３が設けられている。
【００２１】
前記遊技盤ユニット１６の後面側には、裏カバー体１５が設けられている。
裏カバー体１５の後面側には、主基板ボックス１８と副基板ボックス１９が設けられている。
各基板ボックス１８，１９には、それぞれ所要の電子部品が実装された制御基板（図示省略）が収容されている。
【００２２】
次に、封印手段（後述する）を備えた主基板ボックス１８について詳述する。
主基板ボックス１８は、本発明が対象とする基板ボックスに相当しているため、単に「基板ボックス」ともいう。
図２は基板ボックスを示す斜視図、図３は基板ボックスを示す正面図である。
なお、説明の都合上、基板ボックス１８の方位は、図２および図３に矢印で示すように定める。
このため、基板ボックス１８の前後左右は、パチンコ機１（図１参照）の前後左右とは逆向きになっている。
【００２３】
図２に示すように、基板ボックス１８は、セット部材２０と、そのセット部材２０にヒンジ手段（図示省略）によって開閉可能に設けられたカバー部材３０とを備えた薄型のボックス状に形成されている。
基板ボックス１８内には、遊技機（図１参照）における制御基板（図示省略）が収容されている。
セット部材２０およびカバー部材３０は、合成樹脂成形品によって形成されている。
なお、基板ボックス１８は、前記裏カバー体１５に取外し可能に設けられている。
また、図示しないが、制御回路の前面側には、前記遊技盤（図示省略）に配設された入賞装置、役物装置、図柄表示装置、アタッカ装置等の作動を制御するための回路素子いわゆる電子部品が実装されている。
【００２４】
図２および図３に示すように、前記セット部材２０と前記カバー部材３０との間には、そのセット部材２０に対しカバー部材３０を閉じた状態に封印するための左右の封印手段４０が設けられている。
なお、図４は右側に配置された基板ボックスの封印手段を示す斜視図、図５は同じく正面図、図６は図５のＶＩ−ＶＩ線断面図、図７は封印手段の未封印状態を示す図６に準じる断面図、図８は図５のＶＩＩＩ−ＶＩＩＩ線断面図である。
さらに、図９はセット側の連結部を示す斜視図、図１０はカバー側の連結部の裏面を示す斜視図、図１１はカバー側の連結部の裏面図である。
【００２５】
図７に示すように、前記封印手段４０は、セット部材２０側（セット側と略す）の連結部２４とカバー部材３０側（カバー側と略す）の連結部３４とかしめ部材４２と封印ねじ４３とを備えている。
以下、順に述べる。
セット側の連結部２４は、図９に示すように、ほぼ筒形状に形成されており、前記セット部材２０の外側面に形成されたほぼ四角形枠状の支持部（セット側の支持部という）２２内に上下方向に適数個（例えば、４個）並んで連設されている。
セット側の支持部２２と連結部２４とは相互に接続する部分を共有している。
また、支持部２２は、図８に示すように、その後面の開口を覆う後板部２２ａを有している。
セット側の支持部２２および連結部２４は、セット部材２０に一体成形によって形成されている。
【００２６】
前記カバー側の連結部３４は、図１０および図１１に示すように、ほぼ筒形状に形成されており、前記カバー部材３０に形成されたほぼ四角形箱状の開封部（カバー側の開封部という）３２内に上下方向に適数個（例えば、４個）並んで連設されている。
すなわち、カバー部材３０には、開封部３２を介して連結部３４が設けられている。
カバー側の開封部３２および連結部２４は、カバー部材３０に一体成形によって形成されている。
なお、カバー側の開封部３２については後で詳述する。
【００２７】
前記各セット側の連結部２４とそれに対応する各カバー部材３０側の連結部３４とは、セット部材２０にカバー部材３０を閉じた状態において、それぞれ前後方向に延びる軸線Ｌ１（図７参照）上に並んでいる。
すなわち、各セット側の連結部２４の前側に、対応するカバー部材３０側の連結部３４が並んでいる。
【００２８】
図７に示すように、前記かしめ部材４２は、中空のリベット状に形成されており、カバー部材３０側の連結部３４内に挿入されて回り止めされた状態に配置されている。
かしめ部材４２の先端部４２ａは、セット側の連結部２４内に突出されているとともに、その内径を小さい口径とする絞り部４２ｂを有している。
かしめ部材４２は、塑性変形可能な金属材料によって形成されている。
【００２９】
図７に示すように、前記封印ねじ４３は、一方向ねじ（ワンウエイねじとも呼ばれている）からなり、前記カバー側の連結部３４側より前記かしめ部材４２内にねじ込まれている。
封印ねじ４３は、締付け方向に関してはドライバー等の締付け工具４５（図６参照）によりねじ込むことができるが、緩め方向に関しては緩めることができない構成のねじである。
【００３０】
前記封印ねじ４３が、図７の状態から図６に示すように、ドライバー等の締付け工具４５によりかしめ部材４２内にねじ込まれる。
この封印ねじ４３のねじ込みによって、かしめ部材４２の絞り部４２ｂが押し広げられることにより、該かしめ部材４２の先端部４２ａが外径を大きくする方向へ塑性変形されて、セット側の連結部２４にかしめつけられる。
これによって、セット部材２０にカバー部材３０が閉じた状態に固定すなわち封印されている。
なお、封印ねじ４３による封印は、カバー部材３０の複数の連結部３４（図５参照）のうちから選択的に実施される。
本実施の形態の場合、カバー部材３０の最上段の連結部３４（図５参照）から行われ、その封印が解除されたならばその下の連結部３４で行われ、順次下方へ向かって行われるものとする。
また、各連結部２４，３４の軸線Ｌ１（図６参照）方向すなわち前後方向が、本明細書でいう「両連結部の結合方向」に相当する。
【００３１】
次に、前記カバー部材３０の開封部３２について詳述する。
図１０および図１１に示すように、前記カバー側の開封部３２は、上側板部３２１、下側板部３２２、前板部３２３（図５参照）および外側板部３２４を有している。
上側板部３２１および下側板部３２２は、カバー部材３０の本体部（符号省略）に連続している。
また、図５に示すように、前板部３２３は、カバー部材３０の本体部（符号省略）に連続しかつ上側板部３２１および下側板部３２２に上下の端縁部が連続している（図１０参照）。
【００３２】
図１０および図１１に示すように、前記外側板部３２４は、上側板部３２１および下側板部３２２に上下の端縁部が連続しかつ前板部３２３（図５参照）に前縁部が連続している。
カバー側の開封部３２と連結部３４とは相互に接続する部分を共有している。
カバー側の連結部３４は、開封部３２の前板部３２３および外側板部３２４による連続部分を除いて相互に所定の間隔Ｓ１（図１０参照）を隔てて形成されている。
また、カバー側の連結部３４とカバー部材３０とは、開封部３２の前板部３２３、上側板部３２１および下側板部３２２による連続部分を除いて所定の間隔Ｓ２（図１０参照）を隔てて形成されている。
【００３３】
図１１に示すように、最上段のカバー側の連結部３４を除く連結部３４とカバー部材３０との間には、それぞれ補助板部３２５が架設されている。
各補助板部３２５は、図８に示すように、開封部３２の前板部３２３に連続しかつ開封部３２の前半部に形成されている。
【００３４】
図８に示すように、前記カバー側の開封部３２の裏面すなわち開口端面（符号、３２ａを付す）は、前記セット部材２０の支持部２２に対し面接触されることによって閉止されている。
なお、カバー側の開封部３２の開口端面３２ａは、セット部材２０に対するカバー部材３０の開閉によって、セット部材２０の支持部２２に対し離れたり面接触したりする。
【００３５】
図４および図１０に示すように、前記カバー側の開封部３２には、最上段から下段側へのカバー側の連結部３４を取り囲むようにして、ニッパー、カッター等の工具（図示省略）によって切断可能な第１〜第３の切断経路（各図には仮想線で示す）Ｃ１，Ｃ２，Ｃ３が設定されている。
また、本実施の形態の場合、第１〜第３の切断経路Ｃ１，Ｃ２，Ｃ３は、切断を想定した経路を示すものであり、表示機能を有するものではない。
しかし、切断経路Ｃ１，Ｃ２，Ｃ３を表示する手段、例えば、シール部材、突起部、凹み部等を設けることにより、切断経路Ｃ１，Ｃ２，Ｃ３を明確に表示するとよい。
【００３６】
前記第１の切断経路Ｃ１は、最上段のカバー側の連結部３４を独立的に仕切るように、前記カバー側の開封部３２の上側板部３２１、前板部３２３および外側板部３２４にわたって設定されている。
前記第２の切断経路Ｃ２は、第１の切断経路Ｃ１とともに、上から２段目の連結部３４を独立的に仕切るように、カバー側の開封部３２の前板部３２３および外側板部３２４にわたって設定されている。
前記第３の切断経路Ｃ３は、第２の切断経路Ｃ２とともに、上から３段目の連結部３４を独立的に仕切るように、カバー側の開封部３２の前板部３２３および外側板部３２４にわたって設定されている。
また、各切断経路Ｃ１，Ｃ２，Ｃ３が想定されるカバー側の開封部３２の上側板部３２１、前板部３２３および外側板部３２４の当該部分は、ニッパー、カッター等の工具により切断可能な板厚をもって形成されている。
なお、最下段のカバー側の連結部３４については、最終的に封印されるもので切断する必要がないため、切断経路が設定されていない。
【００３７】
図４に示すように、前記カバー側の開封部３２の前板部３２３には、前記カバー側の連結部３４の相互間で前記各切断経路Ｃ１，Ｃ２，Ｃ３上に位置するほぼ三角形状の切除部３５が隆起状に設けられている。
各切除部３５は、両連結部２４，３４の結合方向の延長線ＬＥ上、例えば前方から目視すなわち検査等の作業者の目Ｍで見ることができる（図８参照）。
【００３８】
図８に示すように、前記切除部３５は、前記カバー側の開封部３２の前板部３２３に対しほぼ三角形筒状の脆弱部３６を介して連設されている。
脆弱部３６は、切除部３５よりも薄い肉厚とされることにより脆弱性が付与されている。
脆弱部３６の切断あるいは破壊等によって、切除部３５が切除可能になっている。
【００３９】
前記切除部３５は、図８に示すように、開封部３２の前板部３２３に形成されるほぼ三角形状の開口部３８を覆っている。
したがって、切除部３５が切除されることにより、開口部３８が開口される（図１２参照）。
【００４０】
また、図５に示すように、前記切除部３５の三角形状の１つの頂点部は外側方に指向され、残りの２つの頂点部は上下方向にほぼ一直線上に並ぶようにして形成されている。
すなわち、切除部３５の各頂点部は、それぞれ各切断経路Ｃ１，Ｃ２，Ｃ３の切断方向を表示している。
なお、切除部３５は本明細書でいう「開封部に設けられた表示手段」を兼ねている。
【００４１】
上記した遊技機の基板ボックス１８によると、セット部材２０にカバー部材３０が閉じられ、遊技機における制御基板（図示省略）が収容される。
そして、セット部材２０とカバー部材３０に設けられた各連結部２４，３４は、かしめ部材４２に対する封印ねじ４３のねじ込みによって、所定の結合方向すなわち前後方向に関し相互に封印状態に結合される（図６参照）。
【００４２】
また、基板ボックス１８内の検査等に際し封印を解くすなわち開封する場合には、まず、封印されたカバー部材３０の連結部３４に対応する切除部３５、例えば最上段の切除部３５を切除する。
このとき、例えば、切除部３５の脆弱部３６をニッパー、カッター等で切断したり、あるいは切除部３５を叩いたりこじたり等して破壊させたりすることによって、容易に切除部３５を除去することができる（図１２参照）。
切除部３５が切除された状態では、カバー部材３０の開封部３２の前板部３２３に開口部３８が開口される。
【００４３】
次に、カバー部材３０の開封部３２の前板部３２３に開口された開口部３８に、例えば、ニッパー、カッター等の工具（図１２中、二点鎖線６４参照）を挿入、詳しくは先端部を挿入する。
そして、開口部３８から二方向の第１の切断経路Ｃ１に沿って開封部３２を切断する。
これによって、封印手段４０の封印を開封することができ、カバー部材３０を開閉することができる（図１３参照）。
【００４４】
そして、再び、前記基板ボックス１８を封印する場合には、セット部材２０にカバー部材３０を閉じた状態で、開封されていない連結部３４、すなわち上から２段目のカバー側の連結部３４における封印ねじ４３をかしめ部材４２にねじ込めばよい（図６参照）。
すると、前に述べたように、かしめ部材４２の塑性変形を利用して、上から２段目のセット側の連結部２４とカバー側の連結部３４とが閉じた状態に固定されて封印される。
【００４５】
また、次回、開封する場合には、上から２段目の切除部３５を切除したのち、上記と同様にして、第２の切断経路Ｃ２（図１２参照）に沿って開封部３２を切断すればよい。
そして、セット部材２０にカバー部材３０を閉じた状態で、上から３段目のカバー側の連結部３４における封印ねじ４３をねじ込むことにより、基板ボックス１８を封印することができる。
【００４６】
また、次回、開封する場合には、上から３段目の切除部３５を切除したのち、上記と同様にして、第３の切断経路Ｃ３（図４参照）に沿って開封部３２を切断すればよい。
そして、セット部材２０にカバー部材３０を閉じた状態で、上から４段目のカバー側の連結部３４における封印ねじ４３をねじ込むことにより、基板ボックス１８を封印することができる。
【００４７】
上記した遊技機の基板ボックスによれば、カバー部材３０の開封部３２の切断に際し、切除部３５（図４参照）が切除される。
本実施の形態では、切除部３５を切除しなければならない。
したがって、切除部３５の切除による痕跡を残さずに開封部３２を切断することがむつかしいことと、その切除部３５の切除の痕跡を目視によって容易に発見し得ることの相乗効果によって、不正な開封を抑制することができる。
また、開封部３２の切断時に際し、切除部３５を切除することにより、開封部３２の切断が補助されるので、その開封部３５の切断を容易に行うことができる。
【００４８】
また、カバー部材３０の開封部３２が開口端面３２ａを有するほぼ箱状に形成され、その開封部３２の開口端面３２ａがセット部材２０の支持部２２によって閉止されている（図４および図８参照）。
これにより、開封部３２を開口端面３２ａから切断することがむつかしくなるとともに、開封部３２の切断距離が長くとれるため、その開封部３２の切断の痕跡を目視によって容易に発見し得ることによって、不正な開封の抑制効果を向上することができる。
【００４９】
また、カバー部材３０の切除部３５が両連結部２４，３４の結合方向の延長線ＬＥ（図８参照）上からの目視により、切除部３５の切除の痕跡を容易に発見することができる。
【００５０】
また、切除部３５が有する脆弱部３６（図８参照）を容易に破壊させることができるので、切除部３５の除去を容易に行うことができる。
【００５１】
また、切除部３５を切除することによって開口された開口部３８に工具等４６を挿入して、その開口部３８から開封部３２を容易に切断することができる（図１２参照）。
【００５２】
また、カバー部材３０の開封部３２に設けられた表示手段を兼ねる切除部３５によって、切断経路Ｃ１，Ｃ２，Ｃ３が表示されるので、その切断経路Ｃ１，Ｃ２，Ｃ３に沿って開封部３２を確実かつ容易に切断することができる。
【００５３】
［実施の形態２］本発明の実施の形態２を説明する。
実施の形態２は、上記した実施の形態１の一部に変更を加えたものであるからその変更部分について詳述し、重複する説明は省略する。
図１４は基板ボックスの封印手段を示す斜視図である。
【００５４】
図１４に示すように、カバー部材３０の開封部３２の上側板部３２１および外側板部３２４の開口端面３０ａには、前記各切断経路Ｃ１，Ｃ２，Ｃ３上にそれぞれ位置するほぼＶ字溝状の切込み溝３９が形成されている。
各切込み溝３９の溝底側の頂部は、各切断経路Ｃ１，Ｃ２，Ｃ３の切断方向を表示している。
また、各切込み溝３９は、前記開口部３８（図１２参照）と同様に、例えば、ニッパー、カッター等の工具（図１２中、二点鎖線６４参照）を挿入可能に形成されている。
なお、切込み溝３９は本明細書でいう「開封部に設けられた表示手段」および「凹部」に相当する。
【００５５】
上記した実施の形態２の遊技機の基板ボックス１８によっても、実施の形態１と同様の作用効果を得ることができる。
また、カバー部材３０の開封部３２に設けられた表示手段である切込み溝３９によって、切断する切断経路Ｃ１，Ｃ２，Ｃ３が表示されるので、その切断経路Ｃ１，Ｃ２，Ｃ３に沿って開封部３２を確実かつ容易に切断することができる。
また、表示手段である切込み溝３９にニッパー、カッター等の工具を挿入可能としたことによって、切込み溝３９からの開封部３２の補助的な切断が可能である。
【００５６】
本発明は上記した実施の形態に限定されるものではなく、本発明の要旨を逸脱しない範囲における変更が可能である。
例えば、本発明は、主基板ボックス１８に限らず、副基板ボックス１９、その他の基板ボックスにも適用することができる。
また、前記した実施の形態においては、遊技機がパチンコ機１である場合を例示したが、これに限定するものではなく、例えば、アレンジボール機、雀球機、スロットマシン等の遊技機に対しても適用することができる。
また、封印手段４０は、セット側の連結部２４とカバー側の連結部３４とを封印可能であればよく、前記実施の形態の封印ねじ４３を利用するものに限定されるものではない。
【００５７】
また、切除部３５は、開封部３２の切断に際して切除されるものであればよく、その切除部３５の形状は、三角形状に限らず、例えば、四角形状、丸形状、Ｌ字形状、Ｔ字形状等に代えてもよいし、また、その大きさも、配置位置も適宜選定することができる。
また、切除部３５は、開口部３８を全面的に覆うものに限らず、部分的覆うバー状、格子状、突片状等でもよいし、また、切除部３５が切除されたか否かが識別できれば開口部３８が省略されていてもよい。
また、切除部３５は、切除可能であればよく、脆弱部３６の有無は限定されない。
また、切除部３５は、基板ボックス１８の前方以外でも目視可能な外観上に設けられていればよい。
また、カバー部材３０の開封部３２の形状も、開口端面がセット部材２０の支持部２２によって閉止されない形状であってもよい。
また、セット部材２０に、カバー部材３０の切除部３５を設けた開封部３２とほぼ同様の開封部３２を設けることもできる。
また、表示手段としては、上記した切除部３５および／または切込み溝３９に限らず、切断経路を表示できるものであれば、例えば、直線、ドット、ミシン目状等の突起部または凹み部あるいはシール部材等に代えてもよい。
【００５８】
【発明の効果】
以上、詳述したように、本発明によれば、切除部の切除による痕跡を残さずに開封部を切断することがむつかしいことと、その切除部の切除の痕跡を目視によって容易に発見し得ることの相乗効果によって、不正な開封を抑制することができる。
【図面の簡単な説明】
【図１】  本発明の実施の形態１にかかるパチンコ機を後方側から見た斜視図である。
【図２】基板ボックスを示す斜視図である。
【図３】基板ボックスを示す正面図である。
【図４】基板ボックスの封印手段を示す斜視図である。
【図５】基板ボックスの封印手段を示す正面図である。
【図６】図５のＶＩ−ＶＩ線断面図である。
【図７】封印手段の未封印状態を示す図６に準じる断面図である。
【図８】図５のＶＩＩＩ−ＶＩＩＩ線断面図である。
【図９】セット側の連結部を示す斜視図である。
【図１０】カバー側の連結部の裏面を示す斜視図である。
【図１１】カバー側の連結部の裏面図である。
【図１２】切除部が切除された状態の封印手段を示す斜視図である。
【図１３】カバー部材を開いた状態の封印手段を開放状態で示す斜視図である。
【図１４】本発明の実施の形態２にかかる基板ボックスの封印手段を示す斜視図である。
【図１５】従来の技術にかかる基板ボックスの封印手段を示す正面図である。
【図１６】図１５のＸＶＩ−ＸＶＩ線断面図である。
【図１７】図１５のＸＶＩＩ−ＸＶＩＩ線断面図である。
【符号の説明】
１  パチンコ機（遊技機）
１８  基板ボックス
２０  セット部材
２４  セット側の連結部
３０  カバー部材
３２  カバー側の開封部
３２ａ  開口端面
３４  カバー側の連結部
３５  切除部（表示手段を兼ねる）
３６  脆弱部
３８  開口部
３９  切込み溝（表示手段、凹部）
Ｃ１，Ｃ２，Ｃ３  切断経路
【図１】
0004092425.tif 000002
【図２】
0004092425.tif 000003
【図３】
0004092425.tif 000004
【図４】
0004092425.tif 000005
【図５】
0004092425.tif 000006
【図６】
0004092425.tif 000007
【図７】
0004092425.tif 000008
【図８】
0004092425.tif 000009
【図９】
0004092425.tif 000010
【図１０】
0004092425.tif 000011
【図１１】
0004092425.tif 000012
【図１２】
0004092425.tif 000013
【図１３】
0004092425.tif 000014
【図１４】
0004092425.tif 000015
【図１５】
0004092425.tif 000016
【図１６】
0004092425.tif 000017
【図１７】
0004092425.tif 000018